(57)【要約】【課題】  生体情報の読取部の汚れの問題が発生しにくく、機械警備装置の円滑な運用を図ることができるようにすること。【解決手段】  警備区域Ａを機械警備するための機械警備本体装置２と、携帯用端末装置３と、携帯用端末装置３からの情報を受信し、処理して機械警備本体装置２に警備用情報を出力するための受信装置４とを備えて成る機械警備装置１において、携帯用端末装置３が、生体認証のための生体情報読取部３と、照合用生体情報データＤ１を格納しておくデータ格納部３２と、読み取られた入力生体情報データＩＤと照合用生体情報データＤ１とを照合するデータ照合部と、データ照合部における照合結果を受信装置４に送信するための送信３５とを有している。警備に必要な生体認証情報の読み取りは携帯用端末装置３において行われるので、生体情報の読取部の汚れの問題が発生しにくく、運用上の管理が容易となり、機械警備装置の円滑な運用を図ることができる。【選択図】        図１
2006323558.tif 000002
【特許請求の範囲】
【請求項１】
機械警備装置において、
所定の警備区域を機械警備するための機械警備本体装置と、
携帯用端末装置と、
該携帯用端末装置からの情報を受信し、処理して前記機械警備本体装置に警備用情報を出力するための受信装置とを備えて成り、
前記携帯用端末装置が、
生体認証のための所要の生体情報を読み取るための読取部と、
照合用生体情報データを格納しておくデータ格納部と、
前記読取部によって読み取られた入力生体情報データと前記照合用生体情報データとを照合するデータ照合部と、
該データ照合部における照合結果を前記受信装置に送信するための送信部と
を有して成ることを特徴とする機械警備装置。
【発明の詳細な説明】
【技術分野】
【０００１】
本発明は、生体認証を利用した機械警備装置に関するものである。
【背景技術】
【０００２】
例えば、制御ボックスからの情報に従って所要の機械警備が遂行されるように構成された機械警備システムにおいて、制御ボックスに操作者の指の指紋、手の静脈のパターン等の、所請生体認証のためのデータ取込装置を設け、より信頼性の高い本人確認を行うことができるようにした構成が公知である。
【発明の開示】
【発明が解決しようとする課題】
【０００３】
制御ボックスは、一般に警備対象区域の出入口に設置され、入構しようとする者に対して認証のための何等かの操作を要求するものであるから、必ずしも屋内に設置される訳ではなく、屋外に設置される場合も多い。しかし、生体認証を行う場合は、生体の固有情報を光学的に読み取るためのセンサが制御ボックスに取り付けられているため、そのような制御ボックスを屋外に設置した場合には、塵や埃のために読取部が汚れ、所要の読み取り動作に支障を起こすという問題があった。
【０００４】
このため、従来では制御ボックスを屋外に設置する場合には、光学的読取部に防塵カバーを設ける等の特別な対策が必要となり、コスト高になる上に、使い勝手が悪いという問題点を有していた。
【０００５】
本発明の目的は、従来技術における上述の問題点を解決することができる機械警備装置を提供することにある。
【課題を解決するための手段】
【０００６】
上記課題を解決するため、本発明によれば、機械警備装置において、所定の警備区域を機械警備するための機械警備本体装置と、携帯用端末装置と、該携帯用端末装置からの情報を受信し、処理して前記機械警備本体装置に警備用情報を出力するための受信装置とを備えて成り、前記携帯用端末装置が、生体認証のための所要の生体情報を読み取るための読取部と、照合用生体情報データを格納しておくデータ格納部と、前記読取部によって読み取られた入力生体情報データと前記照合用生体情報データとを照合するデータ照合部と、該データ照合部における照合結果を前記受信装置に送信するための送信部とを有して成ることを特徴とする機械警備装置が提案される。
【発明の効果】
【０００７】
本発明によれば、警備に必要な生体認証情報の読み取りを携帯用端末装置において行うので、生体情報の読取部の汚れの問題が発生しにくく、運用上の管理が容易となり、機械警備装置の円滑な運用を図ることができる。
【発明を実施するための最良の形態】
【０００８】
以下、図面を参照して本発明の実施の形態の一例につき詳細に説明する。
【０００９】
図１は、本発明による機械警備装置の実施の形態の一例を示す構成図である。機械警備装置１は所定の警備区域Ａを機械警備するためのものであって、機械警備本体装置２と、携帯用端末装置３と、携帯用端末装置３からの送信情報を受信、処理して機械警備本体装置２に警備のための情報信号ＫＳを送るための受信装置４とを備えている。
【００１０】
警備区域Ａは、例えば、工場、事務所ビル、商業ビル等の如き、所定の機械警備対象施設であり、機械警備本体装置２それ自体の構成は、警備区域Ａを機械警備するための公知のシステム構成となっている。すなわち、機械警備本体装置２は、図示しない出入口部分に設置されたドアセンサ又は窓センサ、侵入者を検知するための赤外線センサ、ガラスの破壊を検出するガラスセンサ等の各種侵入検知センサを備えており、これらの侵入検知センサのいずれか１つが発報した場合、その発報信号を処理して得られた警備情報ＫＪを、公衆回線Ｃを介して警備センタＢに送る機能を果すと共に、情報信号ＫＳに応答して警備区域Ａの警備の開始、解除を行う機能を果すようになっている。
【００１１】
携帯用端末装置３は、図２に示されるように、生体認証のための指紋情報を読み取るための生体情報読取部３１と、照合のために必要な生体情報データを格納しておくデータ格納部３２を有する処理部３３と、表示部３４と、送信部３５と、これらに電力を供給する電源部３６とを備えている。３７はアンテナ、３８はこの携帯用端末装置３のＩＤコードを入力するためのコード入力端子、３９はモード切換スイッチ、４０は送信スイッチである。
【００１２】
生体情報読取部３１は、指紋の登録及び認証のための指紋の読み込みを行うためのものであり、操作者の指を生体情報読取部３１の読取窓３１Ａに軽くあてることにより、その指の指紋データが入力生体情報データＩＤとして出力される公知の構成となっている。
【００１３】
モード切換スイッチ３９は入力生体情報データＩＤを登録データ（照合用生体情報データ）Ｄ１又は認証データＤ２のいずれかのデータとして処理部３３に入力するためのものである。モード切換スイッチ３９が実線で示すように切り換えられていると入力生体情報データＩＤは登録データＤ１として処理部３３に入力される。一方、モード切換スイッチ３９が点線で示すように切り換えられていると、入力生体情報データＩＤは認証データＤ２として処理部３３に入力される。
【００１４】
処理部３３はマイクロコンピュータを用いて構成されており、登録データＤ１を記憶しておくほか、この登録データＤ１を生体情報取込部３１からの認証データＤ２と照合し、その照合の一致、不一致の判定を行う機能を有している。処理部３３は、また、照合の結果、両データＤ１、Ｄ２が一致していると判別された場合には、送信部３５へ照合結果データＤＸを出力する機能のほか、表示部３４へ照合結果を表示するための表示信号ＳＹを出力する機能を有している。ここで、照合結果データＤＸは、コード入力端子３８から入力されデータ格納部３２に後述の如くして格納されるＩＤコード及び上記照合結果を示すデータを含むデータである。
【００１５】
表示部３４において、照合結果が一致した旨が表示された場合、送信スイッチ４０を押してオンにすると、処理部３３から照合結果データＤＸが出力され、送信部３５に送られる。
【００１６】
送信部３５は処理部３３からの照合結果データＤＸを微弱又は特定小電力の電波により送出するもので、照合結果データＤＸはアンテナ３７から送出される。なお、送信部３５は電波によるほか、赤外線通信、超音波による通信を行う形態のものであってもよい。
【００１７】
図３は、処理部３３において実行されるデータ処理プログラムを示すフローチャートである。このプログラムの実行が開始されると、ステップＳ１でモード判別され、生体情報読取部３１からの入力生体情報データＩＤが登録、認証のいずれのモードで入力されたのかが判別される。このモード切換はモード切換スイッチ３９によって行われ、処理部３３のポートＰ１、Ｐ２のいずれのポートに入力生体情報ＩＤデータが入力されたかでモード判別される。
【００１８】
モード切換スイッチ３９が実線で示されるように切り換えられていると、ステップＳ１では登録モードと判別され、ステップＳ２に入り、ここでコード入力端子３８からＩＤコードが入力されると、ステップＳ３で入力生体情報データＩＤが処理部３３に取り込まれる。
【００１９】
ステップＳ４では取り込まれた入力生体情報データＩＤが正常、異常のいずれであるかが判定される。ステップＳ４で正常と判定されると、ステップＳ５に進み、ここで、取り込まれた入力生体情報データＩＤがデータ格納部３２に登録データ（照合用生体情報データ）Ｄ１として格納され、ステップＳ１に戻る。
【００２０】
ステップＳ４での判別結果が異常であった場合にはステップＳ３に戻り、生体情報読取部３１により再び指紋の読み取りが実行される。
【００２１】
次に、ステップＳ１において、認証モードと判別された場合について説明する。この場合には、ステップＳ６に進み、ここで認証データＤ２が取り込まれたか否かが判断される。認証データＤ２が取り込まれた場合にはその判別記号はＹＥＳとなり、ステップＳ７に進み、ここで認証データＤ２を登録データＤ１と照合する。その照合結果が不一致の場合にはステップＳ７の判別結果はＮＧとなり、ステップＳ６に戻る。照合結果が一致した場合にはステップＳ７の判定結果はＯＫとなり、ステップＳ８に入り、ここで表示信号ＳＹが出力され照合一致を表示部３４において表示する。ステップＳ６の判別結果がＮＯの場合には、ステップＳ１に戻る。
【００２２】
次のステップＳ９では、送信スイッチ４０がオンか否かが判別される。送信スイッチ４０が押されてオンになっている場合にはステップＳ９の判別結果はＹＥＳとなり、ステップＳ１０に入り、ここで照合結果データＤＸが送信部３５に送られ、送信部３５から照合結果データＤＸを送信し、受信装置４に無線送信するための送信処理が実行される。
【００２３】
一方、送信スイッチ４０が押されていない（オフである）と、ステップＳ９の判別結果はＮＯとなり、ステップＳ１１に入る。ステップＳ１１では、ステップＳ８での表示開始からの経過時間が所定の時間Ｔ以上となったか否かが判別される。経過時間が所定時間Ｔに達していないとステップＳ１１の判別結果はＮＯとなり、ステップＳ９に戻る。一方、経過時間が所定時間以上となると、ステップＳ１１の判別結果はＹＥＳとなり、ステップＳ６に戻る。
【００２４】
したがって、表示部３４において照合一致が表示されてから所定時間Ｔを経過するまでに送信スイッチ４０を押せば照合一致の結果が送信されるが、さもなければ、もう一度指紋の取り込みからやり直しとなる。
【００２５】
図４は、受信装置４の構成を示すブロク図である。ここで、４１は受信部で、アンテナ４２からの受信電波を受け取り、照合結果データＤＸを取り出す。処理部４３は受信部４１から出力された照合結果データＤＸに含まれているＩＤコードと処理部４３に格納されている受信装置４のＩＤコードとを照合し、一致している場合は受信された照合結果データＤＸに現時刻データを付与し受信データとして処理部４３のメモリ４３Ａに格納すると共に、後述する制御出力部４４に警備状態変化信号を出力する。なお、当該受信装置４のＩＤコードは、事前にＩＤコード入力端子４３Ａより入力して処理部４３内のメモリ４３Ｂに格納しておく。
【００２６】
制御出力部４４は、処理部４３からの警備状態変化信号によりリレー等のＯＮ／ＯＦＦ制御を行い制御出力とする。この制御出力は、ハード的なＯＮ／ＯＦＦのほか、データとして一般的な通信インターフェイスへの出力も可能である。電源部４５は各部に電力を供給する。
【００２７】
図５は、処理部４３において実行される処理プログラムを示すフローチャートである。ステップＳ２１において照合結果データＤＸの受信があるか否かが判別される。照合結果データＤＸの受信がない場合、ステップＳ２１の判別結果はＮＯとなり、ステップＳ２１の実行を繰り返す。照合結果データＤＸの受信があると、ステップＳ２１の判別結果はＹＥＳとなり、ステップＳ２２に入る。ここで、照合結果データＤＸの内容がチェックされ、自己のＩＤコードと受信された照合結果データＤＸに含まれているＩＤコードとが照合される。照合結果ＩＤコードが一致していると判別されるとステップＳ２２の判別結果はＹＥＳとなり、ステップＳ２３に入り、制御出力部４４から情報信号ＫＳが出力される。一方、照合結果、ＩＤコードが一致していないと判断されると、ステップＳ２２の判別結果はＮＯとなり、ステップＳ２１に戻る。
【００２８】
機械警備装置１は以上のように構成されているので、携帯用端末装置３を携帯していれば、自己の指の指紋を生体認証情報として登録し、警備区域Ａへの入構時には生体情報取込部３１から認証データとして自己の指の指紋のデータを入力し、これにより、警備に必要な情報信号を無線等のワイヤレス方式で、受信装置４を介して機械警備本体装置２に送ることができる。生体情報読取部３１は各人が携帯して専用の端末として使用する携帯用端末装置３に取り付けられているので、生体情報読取部３１の生体情報読取用窓の汚れについての管理が容易であり、機械警備装置１の円滑な運用を図ることができる。
【図面の簡単な説明】
【００２９】
【図１】本発明による機械警備装置の実施の形態の一例を示す全体構成図。
【図２】携帯用端末装置の詳細構成図。
【図３】携帯用端末装置の処理部において実行されるデータ処理プログラムを示すフローチャート。
【図４】受信装置の構成を示すブロク図。
【図５】受信装置の処理部において実行される処理プログラムを示すフローチャート。
【符号の説明】
【００３０】
１  機械警備装置
２  機械警備本体装置
３  携帯用端末装置
４  受信装置
３１  生体情報読取部
３２  データ格納部
３３  処理部
３４  表示部
３５  送信部
３９  モード切換スイッチ
４０  送信スイッチ
Ａ  警備区域
Ｂ  警備センタ
Ｃ  公衆回線
Ｄ１  登録データ
Ｄ２  認証データ
ＤＸ  照合結果データ
ＩＤ  入力情報データ
ＫＪ  警備情報
ＫＳ  情報信号
ＳＹ  表示信号
【図１】
2006323558.tif 000003
【図２】
2006323558.tif 000004
【図３】
2006323558.tif 000005
【図４】
2006323558.tif 000006
【図５】
2006323558.tif 000007